(57)【要約】      （修正有）【課題】液口栓からの雨水等の外部からの液体の侵入を確実に防止することができる上、取り付け取り外し作業を容易に行うことができ整備性に優れたバッテリの液口栓カバー装置を提供すること。【解決手段】バッテリ１の液口栓列１２の上部及び全周を覆うように、バッテリホルダ２４に横方向から係止部４０ａを係止する液口栓カバー３０を設ける。【選択図】図１
2007018866.tif 000002
【特許請求の範囲】
【請求項１】
液口栓列を有するバッテリと、
該バッテリを固定する固定部材と、
該固定部材に係止する係止部を一体に有し、前記液口栓列の上部及び全周を覆うカバー部材と、
を備えることを特徴とするバッテリの液口栓カバー装置。
【請求項２】
前記固定部材は少なくとも前記バッテリの上面を跨いで設けられており、
前記係止部は、少なくとも前記固定部材を上下方向で挟み込む構成であり、該固定部材に横方向から係止されることを特徴とする請求項１記載のバッテリの液口栓カバー装置。
【請求項３】
前記カバー部材の下端に小突起が設けられていることを特徴とする請求項１または２記載のバッテリの液口栓カバー装置。
【発明の詳細な説明】
【技術分野】
【０００１】
本発明は、バッテリの液口栓を覆う液口栓カバー装置に関する。
【背景技術】
【０００２】
車両に備えられるバッテリにはバッテリ液を補充するための液口が形成され、当該液口に液口栓が設けられているものがある。
しかし、このような液口栓を備えたバッテリは、バッテリに水がかかった場合には、緩んだ液口栓の隙間や細孔等からバッテリ内部に水が浸入してしまうおそれがある。
そこで、バッテリの上部にさし渡した押え部材によって受台にバッテリを固定するものにおいて、当該押え部材と一体にバッテリカバーを形成する技術が開示されている（特許文献１参照）。
【特許文献１】特開平９−２３１９５５号公報
【発明の開示】
【発明が解決しようとする課題】
【０００３】
しかしながら、上記特許文献１に開示された技術では、バッテリカバーの両端が開放された構造であり、雨水等の外部からの液体の侵入を防止するには不十分であるという問題がある。
また、上記特許文献１に開示された技術では、押え部材と一体にバッテリカバーが形成されているため、バッテリ液の補充等の整備を行う際にはバッテリカバーとともに押え部材も取り外さなければならず、整備の効率が悪い。また、組み付けの際もナットの締め付け等工具を必要とするような作業を行わなくてはならないことから組み付けが面倒である。
【０００４】
本発明はこのような問題を解決するためになされたもので、その目的とするところは、液口栓からの雨水等の外部からの液体の侵入を確実に防止することができる上、取り付けや取り外し作業が容易で整備性に優れたバッテリの液口栓カバー装置を提供することにある。
【課題を解決するための手段】
【０００５】
上記した目的を達成するために、請求項１のバッテリの液口栓カバー装置では、液口栓列を有するバッテリと、該バッテリを固定する固定部材と、該固定部材に係止する係止部を一体に有し、前記液口栓列の上部及び全周を覆うカバー部材とを備えることを特徴としている。
つまり、バッテリに、バッテリを固定する固定部材に液口栓列の上部及び全周を覆うカバー部材を係止させて取り付ける。
【０００６】
請求項２のバッテリの液口栓カバー装置では、前記固定部材は少なくとも前記バッテリの上面を跨いで設けられており、前記係止部は、少なくとも前記固定部材を上下方向で挟み込む構成であり、該固定部材に横方向から係止されることを特徴としている。
つまり、カバー部材は、バッテリ上面を跨ぐ固定部材に、該固定部材を少なくとも上下方向から挟み込む係止部を横方向から係止する。
【０００７】
請求項３のバッテリの液口栓カバー装置では、前記カバー部材の下面に小突起が設けられていることを特徴としている。
つまり、小突起がバッテリ上面と接触することとなる。
【発明の効果】
【０００８】
上記手段を用いる本発明の請求項１のバッテリの液口栓カバー装置によれば、液口栓列の上部及び全周を覆うカバー部材を設けることで雨水等の外部からの液体の侵入を確実に防止することができる上、当該カバー部材はバッテリを固定する固定部材に係止させるだけなので、バッテリが固定された状態のままで、且つワンタッチで容易にカバー部材の取り付けや取り外しを行うことができる。
【０００９】
これにより、液口栓からの雨水等の外部からの液体の侵入を確実に防止することができる上、取り付けや取り外し作業を容易に行うことができ整備性に優れたバッテリカバーを提供することができる。
請求項２のバッテリの液口栓カバー装置によれば、バッテリ上面を固定部材が跨ぐ簡易な構成で、係止手段は横方向から固定部材を上下方向から挟み込むよう係止されることで、上下の振動に対して係止部材が外れ難くなりカバー部材の保持力を向上させることができる。
【００１０】
請求項３のバッテリの液口栓カバー装置によれば、カバー部材の下面に設けられた小突起がバッテリ上面と接触することで、バッテリ上面とカバー部材との隙間を吸収し、カバー部材のがたつきを防止することができる。
【発明を実施するための最良の形態】
【００１１】
以下、本発明の実施の形態を図面に基づき説明する。
図１乃至図３を参照すると、図１には本発明に係るバッテリの液口栓カバー装置の分解斜視図が、図２には本発明に係るバッテリの液口栓カバー装置において下方から液口栓カバーを見た図が、図３には本発明に係るバッテリの液口栓カバー装置の組付状態図が示されている。
【００１２】
図１及び図３に示すバッテリ１は例えば自動車用の１２Ｖバッテリである。
バッテリ１は、直方体の本体２の上部に蓋４が接着されて構成されている。
詳しくは、本体２内部には長手方向直列に６つのセルに区画されており、当該セルは所定量の電解液と極板群とにより構成されている。
蓋４には、幅方向一側の長手方向一端にプラス端子６が、長手方向他端にマイナス端子８が設けられている。
【００１３】
また、蓋４には、幅方向中央部の長手方向一列に、希硫酸や精製水等のバッテリ液の注入、及び電解液の比重や温度の計測等のための液口１０が各セルに対応して６つ穿設されている。当該液口１０には、電解液の漏れやごみ等の浸入を防止するためにそれぞれ液口栓１２が設けられている。また、当該液口栓１２にはセル内で発生するガスを排気するための細孔１４が穿設されている。
【００１４】
このような構成のバッテリ１はバッテリトレー１６に載置され、固定部材２０によって固定されている。
詳しくは、固定部材２０として、バッテリ１の長手方向中央部の幅方向両側に、上端が螺刻され下端がバッテリトレー１６に係止されているコネクティングロッド２２、２２が上下方向に延びており、バッテリ１の上面に、略Ｓ字状のバッテリホルダ２４がコネクティングロッド２２、２２を連結するようバッテリ１の上面を跨いで配設されている。また、当該バッテリホルダ２４の両端には蓋４の形状に沿って当接する断面Ｌ字状をなす板部材２６、２６が接合されている。
【００１５】
そして、固定部材２０は、バッテリホルダ２４両端の湾曲部内を通るコネクティングロッド２２、２２の上端をそれぞれナット２８、２８で締結することでバッテリ１を固定する。
また、バッテリ１には一列に並んだ液口栓１２の列（以下液口栓列１２ともいう）の上部及び全周を覆うように液口栓カバー３０が設けられる。
【００１６】
液口栓カバー３０は、液口栓１２の列に沿って長手方向に延びており、両端が半円形状を成した天井部３２の周縁から下方へ垂直に延びる壁部３４が形成され、当該壁部３４の下端からは外側に拡がりながら下方に延びるスカート部３６が形成されている。
当該液口栓カバー３０のスカート部３６は、長手方向中央部に切欠部３８ａ、３８ｂが形成されており、当該切欠部３８ａ、３８ｂより長手方向マイナス端子側には係止部４０ａ、４０ｂが形成されている。なお、切欠部３８ａ、３８ｂはバッテリホルダ２４の形状に沿うように、一側の切欠部３８ａは長手方向マイナス端子８寄りに、他側の切欠部３８ｂは長手方向プラス端子６寄りに若干ずれて形成されている。
【００１７】
係止部４０ａ、４０ｂは、平面視においてバッテリホルダ２４と垂直を成すようにスカート部３６から外側に突設されており、側面視において、バッテリホルダ２４の外形に沿い、長手方向プラス端子側の一部が欠けた略Ｃ字状をなしている。
また、スカート部３６の下端には、長手方向両端側の幅方向両側の４ヶ所にそれぞれ半球形状の小突起４２が形成されている。
【００１８】
さらに、壁部３４の内側には幅方向に延びる補強リブ４４が、各液口栓１２の間に位置するように形成されている。
このような構成の液口栓カバー３０の取り付けは矢印Ａで示すように、液口栓１２の列の真上から若干長手方向マイナス端子側にずらした位置から下ろし、切欠部３８ａ、３８ｂ内にバッテリホルダ２４を納めてから、次は長手方向プラス端子側へと移動させることで図３のように係止部４０ａ、４０ｂをバッテリホルダ２４に係止させる。なお、取り外しはこの逆の手順で行う。
【００１９】
このように、液口栓カバー３０の取り付けは、固定部材２０のバッテリホルダ２４に係止部４０ａ、４０ｂを係止させるだけなので特に工具等を必要とせずワンタッチで行うことができ容易であり、バッテリ１が固定された状態のまま作業を行うことができる。そして、係止部４０ａ、４０ｂはバッテリホルダ２４の横方向からバッテリホルダ２４を上下方向で挟み込むよう係止されることで、上下の振動に対して係止部４０ａ、４０ｂが外れ難くなり液口栓カバー３０の保持力を向上させることができる。
【００２０】
そして、液口栓カバー３０は液口栓１２の列の上部及び全周を覆うため、細孔１４からの雨水等の外部からの液体の侵入を確実に防止することができる。
これにより、細孔１４からの雨水等の外部からの液体の侵入を確実に防止することができる上、取り付けや取り外し作業を容易に行うことができ整備性に優れたバッテリの液口栓カバー装置を提供することができる。
【００２１】
このとき、例えばバッテリ１の蓋４の上面の中央部が盛り上がっていたり、窪んでいたりするような場合であっても、液口栓カバー３０はスカート部３６下端に小突起４２が形成されていることで、スカート部３６が片当たりすることはなくなり、液口栓カバー３０のがたつきを防止することができる。
また、液口栓カバー３０は液口栓列１２のみを覆う構成であるため、プラス端子６やマイナス端子８に接続されるケーブル類のレイアウト等を制約することもない。
【００２２】
以上で本発明に係るバッテリの液口栓カバー装置の実施形態についての説明を終えるが、実施形態は上記実施形態に限られるものではない。
例えば、上記実施形態では、バッテリ１は自動車用の１２Ｖバッテリであるが、これに限られるものではなく、他のバッテリであっても構わない。
また、上記実施形態では、バッテリホルダ２４は長手方向中央部で幅方向に延びて設けられているが、このような構成に限られるものではなく、バッテリ１の上面を跨いでいる構成であれば、その構成に合わせて液口栓カバー３０の形状を変えて対応させることが可能である。
【００２３】
また上記実施形態では、液口栓カバー３０の下端の４ヶ所に半球状の小突起４２を設けているが、小突起の形状や個数、配置位置はこれに限られるものではない。
【図面の簡単な説明】
【００２４】
【図１】本発明に係るバッテリの液口栓カバー装置の分解斜視図である。
【図２】本発明に係るバッテリの液口栓カバー装置において下方から液口栓カバーを見た図である。
【図３】本発明に係るバッテリの液口栓カバー装置の組付状態図である。
【符号の説明】
【００２５】
１  バッテリ
１０  液口
１２  液口栓
２０  固定部材
２４  バッテリホルダ
３０  液口栓カバー
４０ａ、４０ｂ  係止部
４２  小突起
４４  補強リブ
【図１】
2007018866.tif 000003
【図２】
2007018866.tif 000004
【図３】
2007018866.tif 000005